(57)【要約】【課題】バックライトブリンキングをおこなう場合における液晶表示装置の画像の画質を高品位に保つ技術を提供する。【解決手段】ＬＣＤパネル１１の背面に照射される光ビームの赤、緑、青の各光量に応じた各検出信号をカラーセンサーによって検出する。また、電流電圧変換及び積分回路１２１が各検出信号を積分する。また、メディアンフィルター回路３３が積分回路から得られる信号の周期毎の最大値と最小値とを検出してその平均値であるメディアンデータ信号を得る。また、輝度色度自動制御回路３４がメディアンデータ信号と目標値信号とからフィードバックデータ信号を得る。また、バックライトブリンキング制御回路３５が光源の点滅を制御するブリンキング信号を生成する。また、光源ドライバー１４０がフィードバックデータ信号とブリンキング信号とから光源を駆動する駆動信号を生成する。このようにして、光源が点滅していても正確に光源からの光量を制御できる。【選択図】図１
2010008599.tif 000002
【特許請求の範囲】
【請求項１】
赤、緑、青のカラーフィルターを有する液晶パネルと、
前記液晶パネルの背面に対して赤、緑、青の光ビームを出射する各光源と、
前記液晶パネルの背面に照射される光ビームの赤、緑、青の各光量に応じた各検出信号を検出する各カラーセンサーと、
前記各カラーセンサーからの前記各検出信号を積分する各積分回路と、
前記各積分回路から得られる信号の周期毎の最大値と最小値とを検出して、前記最大値と前記最小値の中間値である各メディアンデータ信号を得る各メディアンフィルター回路と、
前記各メディアンデータ信号と制御の目標値である各目標値信号とから各フィードバックデータ信号を得る各輝度色度自動制御回路と、
前記各光源の点滅を制御する各ブリンキング信号を生成する各バックライトブリンキング制御回路と、
前記各フィードバックデータ信号と前記各ブリンキング信号とから前記各光源を駆動する駆動信号を生成する各光源ドライバーと、を備える液晶表示装置。
【請求項２】
前記光源ドライバーは、
前記駆動信号としてパルス幅変調信号を生成する請求項１に記載の液晶表示装置。
【請求項３】
前記各積分回路は、
前記各検出信号が、正弦波状の波形となるような積分時定数を有する請求項１に記載の液晶表示装置。
【請求項４】
前記各バックライトブリンキング制御回路は、
時比率が５０％のブリンキング信号を生成する請求項１に記載の液晶表示装置。
【請求項５】
液晶パネルの赤、緑、青のカラーフィルターの透過率を制御して画像を表示し、
各光源を前記液晶パネルの背面に対して赤、緑、青の光ビームを出射し、
各カラーセンサーが前記液晶パネルの背面に照射される光ビームの赤、緑、青の各光量に応じた各検出信号を検出し、
各積分回路が前記各カラーセンサーからの前記各検出信号を積分し、
各メディアンフィルター回路が前記各積分回路から得られる信号の周期毎の最大値と最小値とを検出して、前記最大値と前記最小値の中間値である各メディアンデータ信号を得て、
各輝度色度自動制御回路が前記各メディアンデータ信号と制御の目標値である各目標値信号とから各フィードバックデータ信号を得て、
各バックライトブリンキング制御回路が前記各光源の点滅を制御する各ブリンキング信号を生成し、
各光源ドライバーが前記各フィードバックデータ信号と前記各ブリンキング信号とから前記各光源を駆動する駆動信号を生成する、液晶表示装置の制御方法。
【発明の詳細な説明】
【技術分野】
【０００１】
本発明は、液晶表示装置および液晶表示装置の制御方法に関する。
【背景技術】
【０００２】
近年、液晶を用いた液晶表示装置が種々の産業分野において広範囲に用いられている。このような液晶表示装置では、ＬＣＤパネル（液晶パネル）、バックライト（光源）を光学部材として備えている。また、液晶表示装置は回路部として、バックライトを制御するバックライト制御回部とＬＣＤドライバーとを備えている（特許文献１を参照）。
【０００３】
例えば、特許文献１に記載の発明では、１個のフォトセンサーで、複数個に分割された光源の輝度の各々を検出して制御するようにしている。ここで、光源は、点滅するようになされている。
【特許文献１】特開２００５−２０８４８６号公報
【発明の開示】
【発明が解決しようとする課題】
【０００４】
液晶表示装置に表示する画像の画質（精細度）の向上が求められ、１個のフォトセンサーで、複数の光源を制御するのでは、画像の画質を向上させ、十分な精細度を確保できない場合が生じてきた。例えば、画面端のエリアの光量と光源に囲まれているエリアの光量とは、周辺から受ける影響が大きく異なるため、両者の光量が大きく異なる。この結果として、１個のフォトセンサーでは、正しくフィードバックがかけられないことが危惧される。また、１個のフォトセンサーで光量を検出する場合には、実際に目に見えている光量を測定してフィードバックをかけていないという危惧もある。例えば、１個のセンサーで計測した光量の差分を一定とするフィードバックでは、光源のブリンキング（点滅）をしているときにおいて、実際に目に見える光量とこのようにして検出した光量とは異なる場合があると考えられる。
【０００５】
また、光源の制御方式として、近年は、バックライトを周期的に点滅するバックライトブリンキングは多用される傾向がある。さらに、パルス幅変調信号（ＰＷＭ信号）を用いたパルス幅制御（ＰＷＭ制御）も採用されることがある。しかしながら、バックライトブリンキングをおこなう場合における精度の高い光源からの光量の制御技術は提供されていないという現状である。
【０００６】
本発明は上述した課題に鑑み、バックライトブリンキングをおこなう場合における液晶表示装置の画像の画質を高品位に保つ技術を提供するものである。
【課題を解決するための手段】
【０００７】
本発明の液晶表示装置は、赤、緑、青のカラーフィルターを有する液晶パネルと、前記液晶パネルの背面に対して赤、緑、青の光ビームを出射する各光源と、前記液晶パネルの背面に照射される光ビームの赤、緑、青の各光量に応じた各検出信号を検出する各カラーセンサーと、前記各カラーセンサーからの前記各検出信号を積分する各積分回路と、前記各積分回路から得られる信号の周期毎の最大値と最小値とを検出して、前記最大値と前記最小値の中間値である各メディアンデータ信号を得る各メディアンフィルター回路と、前記各メディアンデータ信号と制御の目標値である各目標値信号とから各フィードバックデータ信号を得る各輝度色度自動制御回路と、前記各光源の点滅を制御する各ブリンキング信号を生成する各バックライトブリンキング制御回路と、前記各フィードバックデータ信号と前記各ブリンキング信号とから前記各光源を駆動する駆動信号を生成する各光源ドライバーと、を備える。
【０００８】
本発明の液晶表示装置の制御方法は、液晶パネルの赤、緑、青のカラーフィルターの透過率を制御して画像を表示し、各光源を前記液晶パネルの背面に対して赤、緑、青の光ビームを出射し、各カラーセンサーが前記液晶パネルの背面に照射される光ビームの赤、緑、青の各光量に応じた各検出信号を検出し、各積分回路が前記各カラーセンサーからの前記各検出信号を積分し、各メディアンフィルター回路が前記各積分回路から得られる信号の周期毎の最大値と最小値とを検出して、前記最大値と前記最小値の中間値である各メディアンデータ信号を得て、各輝度色度自動制御回路が前記各メディアンデータ信号と制御の目標値である各目標値信号とから各フィードバックデータ信号を得て、各バックライトブリンキング制御回路が前記各光源の点滅を制御する各ブリンキング信号を生成し、各光源ドライバーが前記各フィードバックデータ信号と前記各ブリンキング信号とから前記各光源を駆動する駆動信号を生成する。
【０００９】
本発明の液晶表示装置に関する技術では、液晶パネルの背面に照射される光ビームの赤、緑、青の各光量を各カラーセンサーによって検出する。また、各積分回路が各カラーセンサーからの各検出信号を積分する。また、各メディアンフィルター回路が各積分回路から得られる信号の周期毎の最大値と最小値とを検出して、前記最大値と前記最小値の中間値である各メディアンデータ信号を得る。また、各輝度色度自動制御回路が各メディアンデータ信号と各目標値信号とから各フィードバックデータ信号を得る。また、各バックライトブリンキング制御回路が各光源の点滅を制御する各ブリンキング信号を生成する。また、各光源ドライバーが各フィードバックデータ信号と各ブリンキング信号とから各光源を駆動する駆動信号を生成する。このようにして、光源が点滅していても正確に各光源からの光量を制御できる。
【発明の効果】
【００１０】
本発明の技術によれば、バックライトのための光源の点滅をおこなっても正確に光源からの光量を検出することができるので、バックライトブリンキングをおこなう場合における液晶表示装置の画像の画質を高品位に保つ技術を提供できる。
【発明を実施するための最良の形態】
【００１１】
（実施形態の液晶表示装置）
図１は実施形態の液晶表示装置１０を説明に必要な範囲で模式的に示す図である。液晶表示装置１０は、ＬＣＤ（Liquid Crystal Display）パネル１１とバックライト部１２とを主要なる光学部材として有している。また、光学部材としては、拡散板（図３の符号１３を参照）が用いられるが、図１では省略されている。また、液晶表示装置１０は回路部２０を備えている。ＬＣＤパネル１１には赤色、緑色、青色のカラーフィルターが配されている。
【００１２】
図１においては、光学部材及び回路部２０の一部のみが記載されており、記載が省略された部分が有り、その全体が記載されている訳ではない。例えば、バックライト部については、複数個の光源である光源ＲＧＢ１〜光源ＲＧＢ７０（図２を参照）のすべてが記載されている訳ではない。光源ＲＧＢ１、光源ＲＧＢ２、光源ＲＧＢ３、光源ＲＧＢ４、光源ＲＧＢ１７、光源ＲＧＢ１８、光源ＲＧＢ１９、光源ＲＧＢ２０、光源ＲＧＢ４６、光源ＲＧＢ６８、光源ＲＧＢ７０のみが記載されている。同様に、複数個のカラーセンサーである、カラーセンサーＳ１〜カラーセンサーＳ１５（図２を参照）については、カラーセンサーＳ１、カラーセンサーＳ５のみが記載されている。
【００１３】
図１に示すように、回路部２０は、光量検出回路１２０、バックライト部制御回路部３０、信号処理回路部３６、光源ドライバー１４０を有する。ここで、光量検出回路１２０は、カラーセンサーＳ１に接続される光量検出回路であり、カラーセンサーＳ２〜カラーセンサーＳ１５の各々についても同様な他の１４個の光量検出回路が設けられているが、図１では省略されている。同様に、光源ドライバー１４０は、光源ＲＧＢ１、光源ＲＧＢ２、光源ＲＧＢ３、光源ＲＧＢ４を駆動するための光源ドライバーであり、光源を駆動する他の１４個の光源ドライバーについては、図１では記載が省略されている。また、バックライト部制御回路部３０は、各カラーセンサーについて設けられているので、他の１４個のバックライト部制御回路部については記載が省略されている。
【００１４】
信号処理回路部３６は、液晶表示装置１０においては、１個だけ設けられている。信号処理回路部３６は、１５個のバックライト部制御回路部の各々に配された各バックライトブリンキング制御回路（例えば、バックライトブリンキング制御回路３５）を制御するようになされている。なお、各バックライトブリンキング制御回路についての詳細なる説明は、信号処理回路部３６の説明と併せて後述する。
【００１５】
図２は、カラーセンサーＳ１〜カラーセンサーＳ１５と光源ＲＧＢ１〜光源ＲＧＢ７０との関係を模式的に示す図である。１個のカラーセンサーによって光源からの光量が制御される範囲であるセンシング範囲を各破線で囲った部分として表す。そして、ＬＣＤパネル１１の全面は、１５個の領域に分割されて、各カラーセンサーによって光量が検出されるようになされている。
【００１６】
カラーセンサーＳ１によって検出される信号に基づいて、光源ＲＧＢ１〜光源ＲＧＢ４が制御される。また、カラーセンサーＳ２によって検出される信号に基づいて、光源ＲＧＢ５〜光源ＲＧＢ８が制御される。また、カラーセンサーＳ３によって検出される信号に基づいて、光源ＲＧＢ９〜光源ＲＧＢ１２が制御される。また、カラーセンサーＳ５によって検出される信号に基づいて、光源ＲＧＢ１７〜光源ＲＧＢ２０が制御される。また、カラーセンサーＳ６によって検出される信号に基づいて、光源ＲＧＢ２１〜光源ＲＧＢ２６が制御される。また、カラーセンサーＳ７によって検出される信号に基づいて、光源ＲＧＢ２７〜光源ＲＧＢ３２が制御される。また、カラーセンサーＳ８によって検出される信号に基づいて、光源ＲＧＢ３３〜光源ＲＧＢ３８が制御される。また、カラーセンサーＳ９によって検出される信号に基づいて、光源ＲＧＢ３９〜光源ＲＧＢ４４が制御される。また、カラーセンサーＳ１０によって検出される信号に基づいて、光源ＲＧＢ４５〜光源ＲＧＢ５０が制御される。また、カラーセンサーＳ１１によって検出される信号に基づいて、光源ＲＧＢ５１〜光源ＲＧＢ５４が制御される。また、カラーセンサーＳ１２によって検出される信号に基づいて、光源ＲＧＢ５５〜光源ＲＧＢ５８が制御される。また、カラーセンサーＳ１３によって検出される信号に基づいて、光源ＲＧＢ５９〜光源ＲＧＢ６２が制御される。また、カラーセンサーＳ１４によって検出される信号に基づいて、光源ＲＧＢ６３〜光源ＲＧＢ６６が制御される。また、カラーセンサーＳ１５によって検出される信号に基づいて、光源ＲＧＢ６７〜光源ＲＧＢ７０が制御される。
【００１７】
カラーセンサーＳ１は、赤色（Ｒ）、緑色（Ｇ）、青色（Ｂ）の各色を独立に検出できるようにされている。また、カラーセンサーＳ２〜カラーセンサーＳ１５の各々についても同様に、赤色（Ｒ）、緑色（Ｇ）、青色（Ｂ）の各色を独立に検出できるようにされている。
【００１８】
光源ＲＧＢ１は、赤色（Ｒ）、緑色（Ｇ）、青色（Ｂ）の各色を独立に発光できるように、各色を発光するエルイーデー（ＬＥＤ（Light Emitting Diode））を具備している。つまり、赤色を発光する赤色（Ｒ）のＬＥＤ、緑色を発光する緑色（Ｇ）のＬＥＤ、青色を発光する青色（Ｂ）のＬＥＤを具備している。また、光源ＲＧＢ２〜光源ＲＧＢ７０の各々についても同様にして、赤色（Ｒ）、緑色（Ｇ）、青色（Ｂ）の各色を独立に発光できるようにされている。
【００１９】
カラーセンサーＳ１〜カラーセンサーＳ１５の各々と光源ＲＧＢ１〜光源ＲＧＢ７０との対応関係は上述した通りである。しかしながら、光源ＲＧＢ１〜光源ＲＧＢ７０の点灯と消灯との駆動は、これとは、別の組み合わせによっておこなわれるのでこれについて説明をする。
【００２０】
光源ＲＧＢ１、光源ＲＧＢ２、光源ＲＧＢ５、光源ＲＧＢ６、光源ＲＧＢ９、光源ＲＧＢ１０、光源ＲＧＢ１３、光源ＲＧＢ１４、光源ＲＧＢ１７および光源ＲＧＢ１８の点灯または消灯が同時におこなわれる。また、光源ＲＧＢ３、光源ＲＧＢ４、光源ＲＧＢ７、光源ＲＧＢ８、光源ＲＧＢ１１、光源ＲＧＢ１２、光源ＲＧＢ１５、光源ＲＧＢ１６、光源ＲＧＢ１９および光源ＲＧＢ２０の点灯または消灯が同時におこなわれる。また、光源ＲＧＢ２１、光源ＲＧＢ２２、光源ＲＧＢ２７、光源ＲＧＢ２８、光源ＲＧＢ３３、光源ＲＧＢ３４、光源ＲＧＢ３９、光源ＲＧＢ４０、光源ＲＧＢ４５および光源ＲＧＢ４６の点灯または消灯が同時におこなわれる。また、光源ＲＧＢ２３、光源ＲＧＢ２４、光源ＲＧＢ２９、光源ＲＧＢ３０、光源ＲＧＢ３５、光源ＲＧＢ３６、光源ＲＧＢ４１、光源ＲＧＢ４２、光源ＲＧＢ４７および光源ＲＧＢ４８の点灯または消灯が同時におこなわれる。また、光源ＲＧＢ２５、光源ＲＧＢ２６、光源ＲＧＢ３１、光源ＲＧＢ３２、光源ＲＧＢ３７、光源ＲＧＢ３８、光源ＲＧＢ４３、光源ＲＧＢ４４、光源ＲＧＢ４９および光源ＲＧＢ５０の点灯または消灯が同時におこなわれる。また、光源ＲＧＢ５１、光源ＲＧＢ５２、光源ＲＧＢ５５、光源ＲＧＢ５６、光源ＲＧＢ５９、光源ＲＧＢ６０、光源ＲＧＢ６３、光源ＲＧＢ６４、光源ＲＧＢ６７、および光源ＲＧＢ６８の点灯または消灯が同時におこなわれる。また、光源ＲＧＢ５３、光源ＲＧＢ５４、光源ＲＧＢ５７、光源ＲＧＢ５８、光源ＲＧＢ６１、光源ＲＧＢ６２、光源ＲＧＢ６５、光源ＲＧＢ６６、光源ＲＧＢ６９、および光源ＲＧＢ７０の点灯または消灯が同時におこなわれる。つまり、点灯と消灯の制御は、７行の各々について１行毎の単位でおこなわれる。
【００２１】
より具体的には、以下のように各光源ＲＧＢは駆動される。光源ＲＧＢ１の赤色（Ｒ）のＬＥＤと、光源ＲＧＢ２の赤色（Ｒ）のＬＥＤとは相互に接続されて、光源ドライバー１４０の赤色用のドライバー（図示せず）によって駆動されるようになされている。また、光源ＲＧＢ１の緑色（Ｇ）のＬＥＤと、光源ＲＧＢ２の緑色（Ｇ）のＬＥＤとは相互に接続されて、光源ドライバー１４０の緑色用のドライバー（図示せず）によって駆動されるようになされている。また、光源ＲＧＢ１の青色（Ｂ）のＬＥＤと、光源ＲＧＢ２の青色（Ｂ）のＬＥＤとは相互に接続されて、光源ドライバー１４０の青色用のドライバー（図示せず）によって駆動されるようになされている。
【００２２】
また、同様にして、図２に示す各破線で囲む領域内の同じ行に属する各光源の同色を発光するＬＥＤはすべて相互に接続され、図示しない光源ドライバーによって、同様にして、各色のＬＥＤ毎に制御されるようにされている。つまり、３５個の各光源ドライバーは、その各々が、赤色、緑色、青色の３個のＬＥＤを駆動するための独立した色毎のドライバーを有している。
【００２３】
図３は、ＬＣＤパネル１１と拡散板１３とバックライト部１２との関係を断面図によって示す模式図である。図３は、図１を右側の側面から見た断面図であり、バックライト部１２を構成する、光源ＲＧＢ１８、光源ＲＧＢ２０、光源ＲＧＢ４６、光源ＲＧＢ４８、光源ＲＧＢ５０、光源ＲＧＢ６８、光源ＲＧＢ７０、カラーセンサーＳ１、カラーセンサーＳ１５が表されている。カラーセンサーＳ１０は、光源ＲＧＢ５０の背面に配置されており、右側の側面からは見えないが、配置関係を明確にするために図３では記載されている。
【００２４】
図３に図示するように、各光源から出射された光は拡散板１３で散乱するとともに拡散板１３を透過して、ＬＣＤパネル１１を照射する。拡散板１３を透過することによって、光の強度は均一となり、赤色、緑色、青色も均一に混合される。このときに、各光源から出射されて散乱する光は、各カラーセンサーで検出される。例えば、カラーセンサーＳ５で検出される光量は光源ＲＧＢ１７、光源ＲＧＢ１８、光源ＲＧＢ１９、光源ＲＧＢ２０からの光が大半である。しかしながら、カラーセンサーＳ５では光源ＲＧＢ４５、光源ＲＧＢ４６、光源ＲＧＢ４７、光源ＲＧＢ４８、光源ＲＧＢ４９、光源ＲＧＢ５０からの光量も検出される。また、カラーセンサーＳ５では光源ＲＧＢ６７、光源ＲＧＢ６８、光源ＲＧＢ６９、光源ＲＧＢ７０からの光量も検出される。他のカラーセンサーが検出する光量についても、各光源との対応関係は同様である。このような光量の検出方法を採用することによって、各カラーセンサーで検出される光量は、実際に視認される光量と同等となる。
【００２５】
回路部２０の各部について説明をする。まず、光量検出回路１２０について説明をする。カラーセンサーＳ１の赤色を検出するセンサーからの赤色検出信号は、電流電圧変換器及び積分回路１２１に入力される。また、カラーセンサーＳ１の緑色を検出するセンサーからの緑色検出信号は、電流電圧変換器及び積分回路１２２に入力される。また、カラーセンサーＳ１の青色を検出するセンサーからの青色検出信号は、電流電圧変換器及び積分回路１２３に入力される。
【００２６】
電流電圧変換器及び積分回路１２１、電流電圧変換器及び積分回路１２２、電流電圧変換器及び積分回路１２３の各々は、電流を電圧に変換するとともに積分をする。つまり、時間軸で積分の動作をすることによって、周波数軸ではローパスフィルタとして機能する。
【００２７】
図４は、電流電圧変換器及び積分回路（例えば、電流電圧変換器及び積分回路１２１）から出力される電圧の波形を示す図である。図４の横軸は時刻ｔであり、図４の縦軸は振幅である。時間Ｔ１は１周期の時間を示す。時間Ｔ１の逆数が繰り返しの周波数である。電流電圧変換器及び積分回路１２１から出力される電圧の周波数は、後述する垂直同期周波数およびブリンキングの方式により変化する。例えば、日本国内では垂直同期周波数は一般に６０Ｈｚ（ヘルツ）である。そして後述する映像信号変換回路で１２０Ｈｚとされる。そして、後述するブリンキング方式を用いると積分回路１２１から出力される信号の周波数は６０Ｈｚとなる。
【００２８】
そして、電流電圧変換器及び積分回路から出力される電圧の波形は６０Ｈｚの正弦波状の波形にＤＣ成分が重畳したものとなっている。ここで、電流電圧変換器及び積分回路（例えば、電流電圧変換器及び積分回路１２１）を用いる理由は以下である。電流電圧変換器を用いるのは、カラーセンサーからの出力が電流出力として得られるからであり、バックライト部制御回路部３０のエーデー変換回路（Ａ／Ｄ変換回路）３１は、アナログ電圧に応じたデジタル値を出力するからである。また、積分回路を用いる理由は、以下の２つである。まず、光源ドライバーの駆動方式として、周期Ｔ１で繰り返す段階的なバックライトブリンキングを採用するために、カラーセンサーから得られる信号も段階的になってしまう。段階的な信号をなるべく平滑化するために積分回路を用いている。加えて、積分回路を用いる理由は、実施形態では、光源ドライバーの光量の制御方式としてパルス幅変調方式を用いているため、パルス変調分の変動を、積分回路を通すことでカットしたいからである。
【００２９】
図５は、光源ドライバー１４０からの駆動信号を示す図である。図５の横軸は時刻ｔであり、図５の縦軸は振幅である。図５（Ａ）は、バックライトブリンキングがおこなわれていることを示すものである。図５（Ａ）の時間Ｔ１は、図４に示す時間Ｔ１と同じ時間である。また、この場合には、時間Ｔ２と時間Ｔ３とは同じ時間であり、その各々が時間Ｔ１／２である。時間Ｔ２では光源は点灯しており、時間Ｔ３では光源は消灯している。例えば、図５（Ａ）に示す信号が、光源ＲＧＢ１、光源ＲＧＢ２の赤色（Ｒ）のＬＥＤを駆動する信号である場合には、時間Ｔ１では、光源ＲＧＢ１、光源ＲＧＢ２の赤色（Ｒ）のＬＥＤは発光する。また、時間Ｔ２では、光源ＲＧＢ１、光源ＲＧＢ２の赤色（Ｒ）のＬＥＤは消灯する。
【００３０】
図５（Ｂ）、図５（Ｃ）は、図５（Ａ）の時間軸を拡大した図である。図５（Ｂ）に示す波形は、例えば、光源ＲＧＢ１、光源ＲＧＢ２の赤色（Ｒ）のＬＥＤの輝度が比較的高い場合のパルス幅変調信号を示す。図５（Ｃ）に示す波形は、光源ＲＧＢ１、光源ＲＧＢ２の赤色（Ｒ）のＬＥＤの輝度が比較的低い場合のパルス幅変調信号を示す。ここで、図面の上方のレベルが、光源が光っている状態である。図５（Ｂ）に示す波形のデューティファクタ（時比率）は、（Ｔ５／（Ｔ４＋Ｔ５））で表される。また、図５（Ｃ）に示す波形のデューティファクタは、（Ｔ６／（Ｔ４＋Ｔ６））で表される。デューティファクタは、光源の発光の輝度に対応している。このようにして、デューティファクタを制御することによって、つまり、パルス幅を変化させることによって、各光源からの光量を制御することができる。パルス幅変調信号を受けたバックライトブリンキングのための駆動信号がどのように生成されるかについては、後述する。
【００３１】
図６は、各ＬＥＤの駆動信号の波形、電流電圧変換器及び積分回路からの電圧波形を示す図である。最上段は光源ＲＧＢ１と光源ＲＧＢ２とを駆動する光源ドライバー１４０からの駆動信号の波形（図５（Ａ）と同じ波形）である。２段目は、光源ＲＧＢ３と光源ＲＧＢ４とを駆動する光源ドライバーからの駆動信号の波形である。３段目は、光源ＲＧＢ２１と光源ＲＧＢ２２とを駆動する光源ドライバーからの駆動信号の波形である。４段目は、光源ＲＧＢ２３と光源ＲＧＢ２４とを駆動する光源ドライバーからの駆動信号の波形である。５段目は、光源ＲＧＢ２５と光源ＲＧＢ２６とを駆動する光源ドライバーからの駆動信号の波形である。６段目は、光源ＲＧＢ５１と光源ＲＧＢ５２とを駆動する光源ドライバーからの駆動信号の波形である。６段目は、光源ＲＧＢ５１と光源ＲＧＢ５２とを駆動する光源ドライバーからの駆動信号の波形である。７段目は、光源ＲＧＢ５３と光源ＲＧＢ５４とを駆動する光源ドライバーからの駆動信号の波形である。図６に示すように、最上段の波形を基準とするとして、２段目の波形、３段目の波形、４段目の波形、５段目の波形、６段目の波形、７段目の波形と、順に位相が遅れている。これは、第１行目の各光源ＲＧＢ、第２行目の各光源ＲＧＢ、第３行目の各光源ＲＧＢ、第４行目の各光源ＲＧＢ、第５行目の各光源ＲＧＢ、第６行目の各光源ＲＧＢ、第７行目の各光源ＲＧＢと、順に光源を消灯、点灯するからである。
【００３２】
図６の８段目の波形は、電流電圧変換器及び積分回路の積分の時定数が、０であるとした場合の電流電圧変換器及び積分回路からの電圧波形を示すものである。図６の９段目の波形は、積分の時定数が、適正である場合の波形である。この波形は、図４に示す波形と同じものである。また、図６の１０段目の波形は、積分の時定数が、大きい場合の波形である。
【００３３】
電流電圧変換器及び積分回路１２１の積分時定数ＴＩは、ＴＩ＝２π×Ｒ１１２×Ｃ１１１で表される。なお、πは円周率、Ｒ１１２は抵抗Ｒ１１２の抵抗値（Ω（オーム））、Ｃ１１１はコンデンサＣ１１１の容量値（Ｆ（ファラッド））である。積分時定数ＴＩが１周期の時間Ｔ１に比較して非常に大きい場合には、電流電圧変換器及び積分回路１２１からの電圧の波形は、図８の９段目に示すようにＤＣ（直流）に近い波形となる。また、積分時定数ＴＩが１周期の時間Ｔ１に比較して小さい場合には、図６の電流電圧変換器及び積分回路１２１からの電圧の波形は図６の８段目の波形に近い波形となる。
【００３４】
ここで、積分時定数ＴＩとパルス幅変調信号の繰り返し周期である時間Ｔ４（図５（Ｂ）、図５（Ｃ）を参照）との関係について説明をする。時間Ｔ４で繰り返すパルス幅変調信号は、時間Ｔ４の逆数で表される周波数の高調波及びその側帯波成分を含んでいる。この成分はノイズとなって、Ａ／Ｄ変換回路３１に加えられて、変換に際して、変換誤差を生じるので、これらの成分を十分に抑圧する必要がある。この目的を達するために、パルス幅変調信号のデューティファクタにも依存するが、積分時定数ＴＩは、時間Ｔ４の少なくとも５０倍以上であることが望ましい。
【００３５】
ここで、あまり、積分時定数ＴＩを大きくすると制御系の即応性が悪くなる。また、積分時定数ＴＩを大きくすることなく、時間Ｔ４を小さくすることが考えられるが、この場合に、時間Ｔ４をあまり小さくすると、光源ドライバー１４０におけるスイッチング損失と不要輻射が増加する。よって、積分時定数ＴＩ＞時間Ｔ１＞時間Ｔ４が成立する範囲において、これらの３者の間には、自ずと適切なる関係がある。すなわち、時間Ｔ１は垂直同期信号の周期（周波数）に同期しており、例えば、時間Ｔ１は、１６ｍｓｅｃ（ミリ秒）である。この場合には、例えば、時間Ｔ４が１ｍｓｅｃだとした場合には、積分時定数ＴＩを１ｍｓｅｃ×５０＝５０ｍｓｅｃ以上とすることによって、正弦波に近い信号を電流電圧変換器及び積分回路から得ることができる。
【００３６】
光源ＲＧＢ１〜光源ＲＧＢ７０、カラーセンサーＳ１〜カラーセンサーＳ１５の応答速度は速く、電流電圧変換器及び積分回路の積分作用が無い場合には、ノイズ成分によって、輝度に応じた信号を検出することができない。上述したことではあるが、これが、電流電圧変換器及び積分回路１２１〜電流電圧変換器及び積分回路１２３を設けている理由である。なお、上述した光量検出回路１２０と同様な回路が、カラーセンサーＳ２〜カラーセンサーＳ１５の各々についても設けられており、全体として１５個の光量検出回路が回路部２０に設けられている。
【００３７】
バックライト部制御回路部３０について説明をする。バックライト部制御回路部３０は、Ａ／Ｄ変換回路３１、データラム（データＲＡＭ）３２、メディアンフィルター回路３３、輝度色度自動制御回路３４、バックライトブリンキング制御回路３５を有する。バックライト部制御回路部３０は、光量検出回路１２０に対応して設けられているバックライト部制御回路部である。同様にして、他の１４個の光量検出回路の各々に対応したバックライト部制御回路部が１４個設けられており、全体として１５個のバックライト部制御回路部が回路部２０に設けられている。
【００３８】
以下では、バックライト部制御回路部３０で代表して説明するが、他のバックライト部制御回路部も同様である。上述するようにして、Ａ／Ｄ変換回路３１でＡ／Ｄ変換された赤色、緑色、青色に対応する３個のデジタルデータは、デジタルセンサーデータ信号としてデータＲＡＭ３２に順次蓄えられる。ここで、Ａ／Ｄ変換回路３１のサンプルタイミング信号は、バックライトブリンキング制御回路３５から供給される。また、データＲＡＭ３２のアドレスを特定するためのメモリアクセス信号は、輝度色度自動制御回路３４から供給される。ここで、サンプルタイミング信号の周波数は、図４に示す点Ｐ１（最高レベル点）と点Ｐ２（最小レベル点）とが精度良く検出できる程度の周波数を有する信号であり、例えば、図４に示す正弦波の周波数が６０Ｈｚである場合には、Ａ／Ｄ変換回路の性能に依存するが、おおよそその１００倍の６ＫＨｚ程度の周波数である。また、メモリアクセス信号の発生の周波数も同様の周波数であり、周期毎に異なるアドレスが発生される。
【００３９】
データラム３２からは、メディアンフィルター回路３３に対して、サンプルデータ信号が出力される。サンプルデータ信号は、最大値レベル（図４において符号Ｐ１を付した点の振幅）と最小値レベル（図４において符号Ｐ１を付した点の振幅）とを含むものであり、５個の最大値レベルと５個の最小値レベルとがメディアンフィルター回路３３に対して出力される。メディアンフィルター回路３３では、最大、最小のそれぞれ３番目の値を取得する。そして、最大、最小のそれぞれの選択された真ん中の値の和の１／２が求める中間値（図４の点Ｐ１と点Ｐ２との間の太い実線のレベルの振幅）である。これによって、ノイズ成分は、さらに、抑圧され、より正しい光量が検出される。ここで、このメディアンデータ信号は実際に肉眼で観測される輝度、色度に対応している。
【００４０】
ここで、最大値レベルと最小値レベルをどのようにして得るかについて説明をする。まず、第１の方法について説明をする。時間Ｔ１の長さ（１周期の時間）は、既知であるので、時間Ｔ１の時間間隔毎に、その間の最大値を検出することによって、最大値レベルが検出できる。同様にして、時間Ｔ１の時間間隔毎に、その間の最小値を検出することによって、最小値レベルが検出できる。
【００４１】
次に第２の方法について説明をする。図４に示す正弦波の位相と図５（Ａ）に示す駆動信号の波形とは、位相が同期している。すなわち、積分時定数ＴＩに応じて両者の位相関係は変化するが、積分時定数ＴＩが定まると、両者の位相関係は一定のものとなる。そこで、図５（Ａ）に示す時間Ｔ２の立ち上がり点と図４に示す点Ｐ１との間の時間（第１所定時間）を予め求めておく。そして、時間Ｔ２の立ち上がり点から第１所定時間が経過したときに、正弦波信号をサンプリングして最大値レベルが得られる。同様にして、図５（Ａ）に示す時間Ｔ２の立ち上がり点と図４に示す点Ｐ２との間の時間（第２所定時間）を予め求めておく。そして、時間Ｔ２の立ち上がり点から第２所定時間が経過したときに、正弦波信号をサンプリングして最小値レベルが得られる。
【００４２】
輝度色度自動制御回路３４では、目標となる輝度と、目標となる色度から、望ましい、赤色のＬＥＤの輝度（赤色の目標値と称する）、緑色のＬＥＤの輝度（緑色の目標値と称する）、青色のＬＥＤの輝度（青色の目標値と称する）の各々を求める。そして、これらの目標値と各色の現在のメディアンデータ信号の大小を比較してフィードバック信号を出力する。現在のメディアンデータ信号が目標値よりも小さければ、パルス幅変調信号のデューティファクタを増加させ、現在のメディアンデータ信号が小さければ、増加させるフィードバック信号を出力する。より具体的には以下のようにする。赤色の目標値と赤色の現在のメディアンデータ信号の大小を比較して、目標値の方が小さければ、赤色のＬＥＤを駆動するパルス幅変調信号のデューティファクタを増加させるようなフィードバック信号を出力する。また、目標値の方が大きければ、赤色のＬＥＤを駆動するパルス幅変調信号のデューティファクタを減少させるようなフィードバック信号を出力する。
【００４３】
また同様にして、緑色の目標値と緑色の現在のメディアンデータ信号の大小を比較して、目標値の方が小さければ、パルス幅変調信号のデューティファクタを増加させ、目標値の方が大きければ、デューティファクタを減少させるように緑色のＬＥＤを制御するフィードバック信号を出力する。また同様にして、青色の目標値と青色の現在のメディアンデータ信号の大小を比較して、目標値の方が小さければ、パルス幅変調信号のデューティファクタを増加させ、目標値の方が大きければ、デューティファクタを減少させる青色のＬＥＤを制御するフィードバック信号を出力する。
【００４４】
色調整においては、所謂、目標とするホワイトバランスと輝度とを得た後、Ｒ，Ｇ，Ｂの比率を調整することが一般的におこなわれる。輝度色度自動制御回路３４における、目標となる輝度と目標となる色度から、どの様にして、赤色の目標値、緑色の目標値、青色の目標値の各々を求めるかについて説明をする。まず、ＣＩＥ表色系におけるX,Y,Zと、目標となる輝度（Y）及び目標となる色度（x,y）との関係式は数式１〜数式３で求められる。
【００４５】
【数１】
2010008599.tif 000003
【００４６】
【数２】
2010008599.tif 000004
【００４７】
【数３】
2010008599.tif 000005
【００４８】
数式１〜数式３を用いれば、Y,x,yより、X,Y,Zを求めることができる。また、X,Y,Zが与えられた場合には、赤色の目標値Rt、緑色の目標値Gt、青色の目標値Btの各々は一般に工業用途で用いられるＣＩＥ１９３１表色系によれば数４で与えられる。
【００４９】
【数４】
2010008599.tif 000006
【００５０】
このようにして求めた赤色の目標値Rtを用いて、上述したように、赤色の現在のメディアンデータ信号との大小の比較信号、すなわち、両者の差分である赤色のフィードバックデータ信号を輝度色度自動制御回路３４から求める。同様にして、このようにして求めた緑色の目標値Gtを用いて、緑色のフィードバックデータ信号を輝度色度自動制御回路３４から求める。また、このようにして求めた青色の目標値Btを用いて、青色のフィードバックデータ信号を輝度色度自動制御回路３４から求める。
【００５１】
このようにして得られた、赤色のフィードバックデータ信号、緑色のフィードバックデータ信号、青色のフィードバックデータ信号の各々を光源ドライバー１４０に供給する。そして、赤色のフィードバックデータ信号に基づいて光源ドライバー１４０が有する赤色の光源ドライバーで、光源ＲＧＢ１、光源ＲＧＢ２の赤色（Ｒ）のＬＥＤを駆動して所望の輝度に維持する。同様に、緑色のフィードバックデータ信号に基づいて光源ドライバー１４０が有する緑色の光源ドライバーで、光源ＲＧＢ１、光源ＲＧＢ２の緑色（Ｇ）のＬＥＤを駆動して所望の輝度に維持する。同様に、青色のフィードバックデータ信号に基づいて光源ドライバー１４０が有する青色の光源ドライバーで、光源ＲＧＢ１、光源ＲＧＢ２の青色（Ｂ）のＬＥＤを駆動して所望の輝度に維持する。
【００５２】
なお、上述した、目標となる輝度（Y）及び目標となる色度（x,y）は、固定されていても良いが、液晶表示装置の使用者の好みによって、可変とすることもできる。例えば、以下の順序で、使用者の好みによって可変とする。
【００５３】
まず、ＬＣＤパネル１１の赤色（Ｒ）、緑色（Ｇ）、青色（Ｂ）の各々のカラーフィルターを１００％の透過率となるように制御する。この制御は、信号処理回路部３６の液晶タイミングコントローラー及び液晶ドライバー（ＬＣＤタイミングコントローラー及びＬＣＤドライバー）３９からの画像表示信号を１００％の透過率に対応する値とすることによっておこなえる。つまり、画像表示信号はＬＣＤパネル１１の各色のカラーパネルの透過率を制御する信号である。ここで、各々のカラーフィルターを１００％の透過率とする状態は、各色のＬＥＤの光量が適正に保たれている場合には白が画面に表示される状態（ホワイトバランスの状態で）ある。この調整をおこなうに際しては、上述した、カラーセンサー、光源ＲＧＢを含むフィードバックループは動作状態としておく。
【００５４】
次に、ＬＣＤパネル１１を視認しながら、希望するような、輝度と色度となるように調整する。例えば、赤色（Ｒ）の輝度設定のボリューム、緑色（Ｇ）の輝度設定のボリューム、青色（Ｂ）の輝度設定のボリュームの３つのボリューム（図示しない）を操作する。そして、希望するような、輝度と色度が得られたときの、赤色（Ｒ）、緑色（Ｇ）、青色（Ｂ）の各色に対するメディアンフィルター回路３３からの各メディアンデータ信号の値を目標値Rt、目標値Gt、目標値Btとして得る。そして、輝度色度自動制御回路３４に目標値Rt、目標値Gt、目標値Btを保存して、以下はこれらの目標値を用いて制御をする。
【００５５】
次に、信号処理回路部３６について説明をする。信号処理回路部３６は、映像データ変換回路３８とＬＣＤタイミングコントローラー及びＬＣＤドライバー３９とを有している。映像データ変換回路３８へは、外部信号発生器（図示せず）から、映像信号、同期信号が入力される。そして、映像データ変換回路３８からは映像データ信号、変換同期信号が出力される。
【００５６】
映像信号と同期信号は、倍速化前の信号であり、同期信号は、水平同期信号と垂直同期信号との２種類の同期信号を含んでいる。例えば、日本国内で一般的な同期信号の垂直同期信号の周波数は、６０Ｈｚとされている。映像データ変換回路３８では、画像の精度を向上するために、垂直同期信号の周波数を６０Ｈｚから１２０Ｈｚに２倍に向上（倍速化）した垂直同期信号を得る。また、映像データ変換回路３８では、水平同期信号の周波数を２倍に向上（倍速化）した水平同期信号を得る。変換同期信号には、２倍化した垂直同期信号と２倍化した水平同期信号とが含まれる。また、映像データ変換回路３８では、フレーム判別信号を発生する。フレーム判別信号は２倍化した垂直同期信号毎に生成される１番目のフレームと２番目のフレームとを判別するための信号である。ここで、１番目のフレームと２番目のフレームとの画像表示信号の内容は同一である。また、１番目のフレームにおいて、前の２番目のフレームの画像信号の内容が変化する。
【００５７】
変換同期信号と映像データ信号とは、ＬＣＤタイミングコントローラー及びＬＣＤドライバー３９に入力される。そして、ＬＣＤタイミングコントローラー及びＬＣＤドライバー３９から画像表示信号が出力されて、画像表示信号はＬＣＤパネル１１に入力される。また、変換同期信号とフレーム判別信号とは、バックライトブリンキング制御回路３５に入力される。
【００５８】
バックライトブリンキング制御回路３５は、図６の１段目の駆動信号（図５（Ａ）に示す信号でもある）に示すような駆動信号を光源ドライバー１４０から出力するために、時間Ｔ２でハイレベル、時間Ｔ３でローレベルとなるブリンキング信号を発生する回路である。ここで、時間Ｔ２は、２番目のフレームをＬＣＤパネル１１に表示している時間に対応し、時間Ｔ３は、１番目のフレームをＬＣＤパネル１１に表示している時間に対応する。
【００５９】
ブリンキング信号を光源ドライバー１４０に供給することによって得られる作用について説明をする。光源ドライバー１４０の内部では、図５（Ｂ）、図５（Ｃ）に示すようなパルス幅変調信号を連続して発生している。このパルス幅変調信号とブリンキング信号とのアンド（ＡＮＤ）を得ることによって、図５（Ａ）に示す駆動信号を得ることができる。また、図６の２段目から７段目の駆動信号も同様にして得ることができる。
【００６０】
ブリンキング信号を光源ドライバー１４０に供給することによって得られる効果について説明をする。ＬＣＤパネル１１の応答特性は一般に遅い、一方、これに比較して、光源ＲＧＢの応答はより速い。ＬＣＤパネル１１の応答特性が遅いことによって、画像の細精度を向上するための倍速化の効果が減殺されてしまう。これを改善するために、図５（Ａ）に示す駆動信号で駆動するとともに、この駆動信号に同期して画像表示信号を変化するのである。
【００６１】
具体的な同期の態様は以下に示すようになされる。光源ＲＧＢ１、光源ＲＧＢ２、光源ＲＧＢ５、光源ＲＧＢ６、光源ＲＧＢ９、光源ＲＧＢ１０、光源ＲＧＢ１３、光源ＲＧＢ１４、光源ＲＧＢ１７および光源ＲＧＢ１８が同一のブリンキング信号（第１ブリンキング信号）によって制御される。また、光源ＲＧＢ３、光源ＲＧＢ４、光源ＲＧＢ７、光源ＲＧＢ８、光源ＲＧＢ１１、光源ＲＧＢ１２、光源ＲＧＢ１５、光源ＲＧＢ１６、光源ＲＧＢ１９および光源ＲＧＢ２０が同一のブリンキング信号（第２ブリンキング信号）によって制御される。また、光源ＲＧＢ２１、光源ＲＧＢ２２、光源ＲＧＢ２７、光源ＲＧＢ２８、光源ＲＧＢ３３、光源ＲＧＢ３４、光源ＲＧＢ３９、光源ＲＧＢ４０、光源ＲＧＢ４５および光源ＲＧＢ４６が同一のブリンキング信号（第３ブリンキング信号）によって制御される。また、光源ＲＧＢ２３、光源ＲＧＢ２４、光源ＲＧＢ２９、光源ＲＧＢ３０、光源ＲＧＢ３５、光源ＲＧＢ３６、光源ＲＧＢ４１、光源ＲＧＢ４２、光源ＲＧＢ４７および光源ＲＧＢ４８が同一のブリンキング信号（第４ブリンキング信号）によって制御される。また、光源ＲＧＢ２５、光源ＲＧＢ２６、光源ＲＧＢ３１、光源ＲＧＢ３２、光源ＲＧＢ３７、光源ＲＧＢ３８、光源ＲＧＢ４３、光源ＲＧＢ４４、光源ＲＧＢ４９および光源ＲＧＢ５０が同一のブリンキング信号（第５ブリンキング信号）によって制御される。また、光源ＲＧＢ５１、光源ＲＧＢ５２、光源ＲＧＢ５５、光源ＲＧＢ５６、光源ＲＧＢ５９、光源ＲＧＢ６０、光源ＲＧＢ６３、光源ＲＧＢ６４、光源ＲＧＢ６７、および光源ＲＧＢ６８が同一のブリンキング信号（第６ブリンキング信号）によって制御される。また、光源ＲＧＢ５３、光源ＲＧＢ５４、光源ＲＧＢ５７、光源ＲＧＢ５８、光源ＲＧＢ６１、光源ＲＧＢ６２、光源ＲＧＢ６５、光源ＲＧＢ６６、光源ＲＧＢ６９、および光源ＲＧＢ７０が同一のブリンキング信号（第７ブリンキング信号）によって制御される。
【００６２】
変換同期信号に含まれる垂直同期信号、水平同期信号に同期して画像表示信号を更新して、図１に示すＬＣＤパネル１１（図１を参照）の上方向から下方向に垂直走査がなされ、ＬＣＤパネル１１の左方向から右方向に水平走査がなされる。１番目フレームについては、以下のようにして、順次光源を消灯する。光源ＲＧＢ１、光源ＲＧＢ２、光源ＲＧＢ５、光源ＲＧＢ６、光源ＲＧＢ９、光源ＲＧＢ１０、光源ＲＧＢ１３、光源ＲＧＢ１４、光源ＲＧＢ１７および光源ＲＧＢ１８によって主として照射される範囲のＬＣＤパネルの画像信号の内容を更新している時間の開始と同時に第１ブリンキング信号をローレベルとする。これによって、各光源の、赤色のＬＥＤ、緑色のＬＥＤ、青色のＬＥＤの各々が消灯する。光源ＲＧＢ３、光源ＲＧＢ４、光源ＲＧＢ７、光源ＲＧＢ８、光源ＲＧＢ１１、光源ＲＧＢ１２、光源ＲＧＢ１５、光源ＲＧＢ１６、光源ＲＧＢ１９および光源ＲＧＢ２０によって主として照射される範囲のＬＣＤパネルの画像信号の内容を更新している時間の開始と同時に第２ブリンキング信号をローレベルとする。これによって、各光源の、赤色のＬＥＤ、緑色のＬＥＤ、青色のＬＥＤの各々が消灯する。光源ＲＧＢ２１、光源ＲＧＢ２２、光源ＲＧＢ２７、光源ＲＧＢ２８、光源ＲＧＢ３３、光源ＲＧＢ３４、光源ＲＧＢ３９、光源ＲＧＢ４０、光源ＲＧＢ４５および光源ＲＧＢ４６によって主として照射される範囲のＬＣＤパネルの画像信号の内容を更新している時間の開始と同時に第３ブリンキング信号をローレベルとする。これによって、各光源の、赤色のＬＥＤ、緑色のＬＥＤ、青色のＬＥＤの各々が消灯する。光源ＲＧＢ２３、光源ＲＧＢ２４、光源ＲＧＢ２９、光源ＲＧＢ３０、光源ＲＧＢ３５、光源ＲＧＢ３６、光源ＲＧＢ４１、光源ＲＧＢ４２、光源ＲＧＢ４７および光源ＲＧＢ４８によって主として照射される範囲のＬＣＤパネルの画像信号の内容を更新している時間の開始と同時に第４ブリンキング信号をローレベルとする。これによって、各光源の、赤色のＬＥＤ、緑色のＬＥＤ、青色のＬＥＤの各々が消灯する。光源ＲＧＢ２５、光源ＲＧＢ２６、光源ＲＧＢ３１、光源ＲＧＢ３２、光源ＲＧＢ３７、光源ＲＧＢ３８、光源ＲＧＢ４３、光源ＲＧＢ４４、光源ＲＧＢ４９および光源ＲＧＢ５０によって主として照射される範囲のＬＣＤパネルの画像信号の内容を更新している時間の開始と同時に第５ブリンキング信号をローレベルとする。これによって、各光源の、赤色のＬＥＤ、緑色のＬＥＤ、青色のＬＥＤの各々が消灯する。光源ＲＧＢ５１、光源ＲＧＢ５２、光源ＲＧＢ５５、光源ＲＧＢ５６、光源ＲＧＢ５９、光源ＲＧＢ６０、光源ＲＧＢ６３、光源ＲＧＢ６４、光源ＲＧＢ６７、および光源ＲＧＢ６８によって主として照射される範囲のＬＣＤパネルの画像信号の内容を更新している時間の開始と同時に第６ブリンキング信号をローレベルとする。これによって、各光源の、赤色のＬＥＤ、緑色のＬＥＤ、青色のＬＥＤの各々が消灯する。光源ＲＧＢ５３、光源ＲＧＢ５４、光源ＲＧＢ５７、光源ＲＧＢ５８、光源ＲＧＢ６１、光源ＲＧＢ６２、光源ＲＧＢ６５、光源ＲＧＢ６６、光源ＲＧＢ６９、および光源ＲＧＢ７０によって主として照射される範囲のＬＣＤパネルの画像信号の内容を更新している時間の開始と同時に第７ブリンキング信号をローレベルとする。これによって、各光源の、赤色のＬＥＤ、緑色のＬＥＤ、青色のＬＥＤの各々が消灯する。
【００６３】
２番目フレームについては、以下のようにして、順次光源を点灯する。なお、２番目フレームでは、画像表示信号の更新はなされるが、その内容は、１番目フレームにおけると同一である。光源ＲＧＢ１、光源ＲＧＢ２、光源ＲＧＢ５、光源ＲＧＢ６、光源ＲＧＢ９、光源ＲＧＢ１０、光源ＲＧＢ１３、光源ＲＧＢ１４、光源ＲＧＢ１７および光源ＲＧＢ１８によって主として照射される範囲のＬＣＤパネルの画像信号の内容を更新している時間の開始と同時に第１ブリンキング信号をハイレベルとする。これによって、各光源の、赤色のＬＥＤ、緑色のＬＥＤ、青色のＬＥＤの各々が点灯する。光源ＲＧＢ３、光源ＲＧＢ４、光源ＲＧＢ７、光源ＲＧＢ８、光源ＲＧＢ１１、光源ＲＧＢ１２、光源ＲＧＢ１５、光源ＲＧＢ１６、光源ＲＧＢ１９および光源ＲＧＢ２０によって主として照射される範囲のＬＣＤパネルの画像信号の内容を更新している時間の開始と同時に第２ブリンキング信号をハイレベルとする。これによって、各光源の、赤色のＬＥＤ、緑色のＬＥＤ、青色のＬＥＤの各々が点灯する。光源ＲＧＢ２１、光源ＲＧＢ２２、光源ＲＧＢ２７、光源ＲＧＢ２８、光源ＲＧＢ３３、光源ＲＧＢ３４、光源ＲＧＢ３９、光源ＲＧＢ４０、光源ＲＧＢ４５および光源ＲＧＢ４６によって主として照射される範囲のＬＣＤパネルの画像信号の内容を更新している時間の開始と同時に第３ブリンキング信号をハイレベルとする。これによって、各光源の、赤色のＬＥＤ、緑色のＬＥＤ、青色のＬＥＤの各々が点灯する。光源ＲＧＢ２３、光源ＲＧＢ２４、光源ＲＧＢ２９、光源ＲＧＢ３０、光源ＲＧＢ３５、光源ＲＧＢ３６、光源ＲＧＢ４１、光源ＲＧＢ４２、光源ＲＧＢ４７および光源ＲＧＢ４８によって主として照射される範囲のＬＣＤパネルの画像信号の内容を更新している時間の開始と同時に第４ブリンキング信号をハイレベルとする。これによって、各光源の、赤色のＬＥＤ、緑色のＬＥＤ、青色のＬＥＤの各々が点灯する。光源ＲＧＢ２５、光源ＲＧＢ２６、光源ＲＧＢ３１、光源ＲＧＢ３２、光源ＲＧＢ３７、光源ＲＧＢ３８、光源ＲＧＢ４３、光源ＲＧＢ４４、光源ＲＧＢ４９および光源ＲＧＢ５０によって主として照射される範囲のＬＣＤパネルの画像信号の内容を更新している時間の開始と同時に第５ブリンキング信号をハイレベルとする。これによって、各光源の、赤色のＬＥＤ、緑色のＬＥＤ、青色のＬＥＤの各々が点灯する。光源ＲＧＢ５１、光源ＲＧＢ５２、光源ＲＧＢ５５、光源ＲＧＢ５６、光源ＲＧＢ５９、光源ＲＧＢ６０、光源ＲＧＢ６３、光源ＲＧＢ６４、光源ＲＧＢ６７、および光源ＲＧＢ６８によって主として照射される範囲のＬＣＤパネルの画像信号の内容を更新している時間の開始と同時に第６ブリンキング信号をハイレベルとする。これによって、各光源の、赤色のＬＥＤ、緑色のＬＥＤ、青色のＬＥＤの各々が点灯する。光源ＲＧＢ５３、光源ＲＧＢ５４、光源ＲＧＢ５７、光源ＲＧＢ５８、光源ＲＧＢ６１、光源ＲＧＢ６２、光源ＲＧＢ６５、光源ＲＧＢ６６、光源ＲＧＢ６９、および光源ＲＧＢ７０によって主として照射される範囲のＬＣＤパネルの画像信号の内容を更新している時間の開始と同時に第７ブリンキング信号をハイレベルとする。これによって、各光源の、赤色のＬＥＤ、緑色のＬＥＤ、青色のＬＥＤの各々が点灯する。
【００６４】
上述したようにして、第１ブリンキング信号〜第７ブリンキング信号の各々は５０％のデューティファクタを有し、異なる位相でハイレベルとローレベルの間で変化する。このように各光源ＲＧＢが制御されことによって、ＬＣＤパネル１１の応答速度が遅いことによる画質の劣化が目立たず、良好なる画質を有することとなる。つまり、ＬＣＤパネル１１において過渡応答が生じている時間は光源ＲＧＢからの光を照射しないようにして、過渡応答が生じている状態の画像を視認できないようにして、過渡応答が収まった後の良好な画面のみを視認可能としている。つまり、１番目フレームと２番目フレームとの間で過渡応答は終了し、１番目フレームと２番目フレームとが同一内容であるので、２番目フレームが更新された場合でも過渡応答は生じないのである。
【００６５】
上述した実施形態の効果についてまとめる。まず、実施形態で採用するバックライトブリンキングによって良質なる画像が得られる。次に、実施形態で採用する光源からの光量の制御技術によって、バックライトブリンキングを採用する場合においては、良好なる制御特性が得られる。つまり、ブリンキングタイミングに同期して縦、横に配置されたフォトセンサーの各々から、光量に応じた信号を検出する。つまり、最も輝度の高いレベルと最も輝度の低いレベルとを検出し、数フレーム分の計測結果を平均化して、実際の目で見える輝度、色度と同じになるように工夫している。そのためバックライトブリンキングの動作において、光っていない列の影響がカラーセンサーの検出結果に表れない点で優れている。さらに、最も輝度の高いレベルと最も輝度の低いレベルとを検出するに際して、積分作用を用いているので、光源がパルス幅変調信号によって制御されている場合でも、ノイズ成分の影響を排除して良好な制御特性が得られる。
【図面の簡単な説明】
【００６６】
【図１】実施形態の液晶表示装置を模式的に示す図である。
【図２】カラーセンサーと光源との関係を模式的に示す図である。
【図３】ＬＣＤパネルと拡散板とバックライト部との関係を断面図によって示す模式図である。
【図４】電流電圧変換器及び積分回路から出力される電圧の波形を示す図である。
【図５】光源ドライバーからの駆動信号であるパルス幅変調信号（ＰＷＭ信号信号）を示す図である。
【図６】各ＬＥＤの駆動信号の波形、電流電圧変換器及び積分回路からの電圧波形を示す図である。
【符号の説明】
【００６７】
１０  液晶表示装置、  １１  ＬＣＤパネル、  １２  バックライト部、  １３  拡散板、  ２０  回路部、  ３０  バックライト部制御回路部、  ３１  Ａ／Ｄ変換回路  、  ３２  データラム（データＲＡＭ）、  ３３  メディアンフィルター回路、  ３４  色度自動制御回路、  ３５  バックライトブリンキング制御回路、  ３６  信号処理回路部、  ３８  映像データ変換回路、  ３９  ＬＣＤタイミングコントローラー及びＬＣＤドライバー、  １２０  光量検出回路、  １２１、１２２、１２３  電流電圧変換及び積分回路、  １４０  光源ドライバー、  ＲＧＢ１〜ＲＧＢ７０  光源、  Ｓ１〜Ｓ１５  カラーセンサー
【図１】
2010008599.tif 000007
【図２】
2010008599.tif 000008
【図３】
2010008599.tif 000009
【図４】
2010008599.tif 000010
【図５】
2010008599.tif 000011
【図６】
2010008599.tif 000012